(57)【要約】      （修正有）【課題】暴発が起きにくい回転式連発輪ゴム銃を提供する。【解決手段】引き金１９が引かれた際には、引き金１９の上端が前方へ回動し、リンク部材１７を介してストッパー１５の上端を押し、ストッパー１５のＬ字状のＬ字の内角３７が、回転してきた凸部１３の先端に接する。このように、引き金１９の回動半径や回動軸３１Ｂの位置に関係なく、ストッパー１５は最適な回動半径や回動軸３１Ａの位置を有することができる。また、機構２１の回動軸は、引き金１９の回動軸３１Ｂ、ストッパー１５の回動軸３１Ａ、リンク部材１７の両端の回動軸、を合わせ４カ所と多くなり、機構２１に遊びが多く、ストッパー１５が、回転部１１の凸部１３の動きに対して、独自に柔軟に追従しやすい。このため、引き金１９が引かれる前と引かれた際に、ストッパー１５を回転部１１の凸部１３に深く接することができ暴発が起きにくい。【選択図】図１
0003157069.tif 000002
【実用新案登録請求の範囲】
【請求項１】
輪ゴムの一端を係止する係止部を有する銃身部と、前記銃身部の後方に設けられて輪ゴムの後端を係止する凸部が周方向に等間隔に複数個外側に向かって設けられる回転部と、前記輪ゴムに引っ張られて生じる前記回転部の前進回転を前記凸部に接して制御するストッパーと、このストッパーを作動する引き金と、銃身部の後方に一体的に設けられる握部と、を有する輪ゴム銃において、
前記回転部の後方に前記ストッパーが回動可能に設けられ、前記ストッパーの後方に前記引き金が回動可能に設けられ、前記ストッパーは、下端に前記凸部に係止するＬ字状の切欠を有し、上端にリンク部材の一端が回動可能に連結し、このリンク部材の他端が前記引き金の上端に回動可能に連結し、前記Ｌ字状の切欠は、前記ストッパーの下端の前方に逆Ｌ字状に形成され、前記ストッパーの下端が前方へ回動した状態で前記Ｌ字状の先端が前記凸部の回転方向側側面に接し、前記ストッパーの下端が後方へ回動した状態で前記Ｌ字状のＬ字の内角が、回転してきた前記凸部の先端に接する位置に設けられ、前記引き金は、弾性体によって下端が前方へ付勢されることを特徴とする回転式連発輪ゴム銃。
【請求項２】
輪ゴムの一端を係止する係止部を有する銃身部と、前記銃身部の後方に設けられて輪ゴムの後端を係止する凸部が周方向に等間隔に複数個外側に向かって設けられる回転部と、前記輪ゴムに引っ張られて生じる前記回転部の前進回転を前記凸部に接して制御するストッパーと、このストッパーを作動する引き金と、銃身部の後方に一体的に設けられる握部と、を有する輪ゴム銃において、
前記回転部の前方に前記ストッパーが回動可能に設けられ、前記回転部の後方に前記引き金が回動可能に設けられ、前記ストッパーは、上端に前記凸部に係止するＬ字状の切欠を有し、下端にリンク部材の一端が回動可能に連結し、このリンク部材の他端が前記引き金の下端に回動可能に連結し、前記Ｌ字状の切欠は、前記ストッパーの上端の後方に形成され、前記ストッパーの上端が後方へ回動した状態で前記Ｌ字状の先端が前記凸部の回転方向側側面に接し、前記ストッパーの上端が前方へ回動した状態で前記Ｌ字状のＬ字の内角が、回転してきた前記凸部の先端に接する位置に設けられ、前記ストッパーは、弾性体によって下端が前方へ付勢されることを特徴とする回転式連発輪ゴム銃。
【考案の詳細な説明】
【技術分野】
【０００１】
この考案は、輪ゴムを飛ばして遊べる玩具の輪ゴム銃の構造に関する。
【背景技術】
【０００２】
輪ゴムを飛ばして遊べる玩具の輪ゴム銃として、特許文献１、２，３が存在する。これらの輪ゴム銃は、輪ゴムの一端を係止する係止部を有する銃身部の後方に、グリップと呼ばれる握部が一体的に設けられる。銃身部の後方には、シリンダーと呼ばれる回転部が設けられる。この回転部には、６個の凸部が放射状に外側に向かって設けられ、輪ゴムの後端を係止する。輪ゴムに引っ張られて生じる回転部の回転は、凸部に接するストッパーによって制御される。このストッパーは、先端がコの字形状を有する。そのコの字形状は、回転部が、凸部一個分だけ回転するように制御する働きを有する。このストッパーには、一体的に引き金が設けられる。引き金を繰り返して引くと、６個の輪ゴムが、連発できる。
【先行技術文献】
【特許文献】
【０００３】
【特許文献１】実登３１４６５０６
【特許文献２】実開昭５６−１４９２９９
【特許文献３】米国特許抄録１７２４７０８
【考案の概要】
【考案が解決しようとする課題】
【０００４】
しかしながら、特許文献１、２，３の輪ゴム銃の構造では、ストッパーなどの部品の成形や配置を正確に行なわないと、暴発が起きやすい。すなわち、引き金を引いた瞬間、連発、すなわち連続的に輪ゴムが発射されることになり、単発、すなわち一発一発発射する操作は、難しい。
【０００５】
この考案は、以上の問題点を解決するために、連発のみならず単発も操作でき、暴発が起きにくい回転式連発輪ゴム銃を提供することを目的とする。
【課題を解決するための手段】
【０００６】
以上の課題を解決するために、第一考案は、輪ゴムの一端を係止する係止部を有する銃身部と、前記銃身部の後方に設けられて輪ゴムの後端を係止する凸部が周方向に等間隔に複数個外側に向かって設けられる回転部と、前記輪ゴムに引っ張られて生じる前記回転部の前進回転を前記凸部に接して制御するストッパーと、このストッパーを作動する引き金と、銃身部の後方に一体的に設けられる握部と、を有する輪ゴム銃において、
前記回転部の後方に前記ストッパーが回動可能に設けられ、前記ストッパーの後方に前記引き金が回動可能に設けられ、前記ストッパーは、下端に前記凸部に係止するＬ字状の切欠を有し、上端にリンク部材の一端が回動可能に連結し、このリンク部材の他端が前記引き金の上端に回動可能に連結し、前記Ｌ字状の切欠は、前記ストッパーの下端の前方に逆Ｌ字状に形成され、前記ストッパーの下端が前方へ回動した状態で前記Ｌ字状の先端が前記凸部の回転方向側側面に接し、前記ストッパーの下端が後方へ回動した状態で前記Ｌ字状のＬ字の内角が、回転してきた前記凸部の先端に接する位置に設けられ、前記引き金は、弾性体によって下端が前方へ付勢されることを特徴とする回転式連発輪ゴム銃である。
【０００７】
第二考案は、輪ゴムの一端を係止する係止部を有する銃身部と、前記銃身部の後方に設けられて輪ゴムの後端を係止する凸部が周方向に等間隔に複数個外側に向かって設けられる回転部と、前記輪ゴムに引っ張られて生じる前記回転部の前進回転を前記凸部に接して制御するストッパーと、このストッパーを作動する引き金と、銃身部の後方に一体的に設けられる握部と、を有する輪ゴム銃において、
前記回転部の前方に前記ストッパーが回動可能に設けられ、前記回転部の後方に前記引き金が回動可能に設けられ、前記ストッパーは、上端に前記凸部に係止するＬ字状の切欠を有し、下端にリンク部材の一端が回動可能に連結し、このリンク部材の他端が前記引き金の下端に回動可能に連結し、前記Ｌ字状の切欠は、前記ストッパーの上端の後方に形成され、前記ストッパーの上端が後方へ回動した状態で前記Ｌ字状の先端が前記凸部の回転方向側側面に接し、前記ストッパーの上端が前方へ回動した状態で前記Ｌ字状のＬ字の内角が、回転してきた前記凸部の先端に接する位置に設けられ、前記ストッパーは、弾性体によって下端が前方へ付勢されることを特徴とする回転式連発輪ゴム銃である。
【考案の効果】
【０００８】
第一考案によれば、輪ゴムの一端を銃身部の係止部に係止し、他端を銃身部の後方の回転部に設けられた凸部に係止する。輪ゴムによる回転部の回転は、ストッパーによって止めておく。次に、引き金を引くと、ストッパーが外れて、回転部が回転し、輪ゴムが発射される。
【０００９】
そして、弾性体の付勢力に抗して引き金が引かれる前には、ストッパーの下端が前方へ回動した状態で、ストッパーのＬ字状の先端が凸部の回転方向側側面に接している。引き金が引かれた際には、引き金の上端が前方へ回動し、リンク部材を介してストッパーの上端を押し、ストッパーの下端が後方へ回動した状態となり、ストッパーのＬ字状のＬ字の内角が、回転してきた凸部の先端に接する。
【００１０】
（１）このように、引き金とストッパーとは一体ではなく、リンク部材を介して連結されているので、引き金の回動半径や回動軸の位置に関係なく、ストッパーは最適な回動半径や回動軸の位置を有することができる。すなわち、引き金の回動半径は、人の指の動きに対して最適なものに設定でき、ストッパーの回動半径は、回転部の回転半径や凸部の長さに対して最適なものに、別々に設定できる。また、引き金の回動軸の位置は、握部の大きさや位置に対して最適な位置に設定でき、ストッパーの回動軸の位置は、回転部の回転軸の位置、回転半径、凸部の長さに対して最適な位置に、別々に設定できる。
【００１１】
（２）さらに、引き金とストッパーとは、リンク部材を介して連結されているので、回動軸は、引き金の回動軸、ストッパーの回動軸、リンク部材の両端の回動軸、を合わせ４カ所となる。これに対して、背景技術のように引き金とストッパーが一体の場合には、回動軸は、引き金の回動軸カ所になる。よって、この発明では、機構に遊びが多く、ストッパーが、回転部の凸部の動きに対して、独自に柔軟に追従しやすい。
これら（１）（２）ため、引き金が引かれる前と引かれた際に、ストッパーを回転部の凸部に深く接することができ、輪ゴムの連続発射や単発、すなわち一発一発発射する操作が、容易になる。
【００１２】
第二考案によれば、輪ゴムの一端を銃身部の係止部に係止し、他端を銃身部の後方の回転部に設けられた凸部に係止する。輪ゴムによる回転部の回転は、ストッパーによって止めておく。次に、引き金を引くと、ストッパーが外れて、回転部が回転し、輪ゴムが発射される。
【００１３】
そして、弾性体の付勢力に抗して引き金が引かれる前には、ストッパーの上端が後方へ回動した状態で、ストッパーのＬ字状の先端が凸部の回転方向側側面に接している。引き金が引かれた際には、引き金の下端が後方へ回動し、リンク部材を介してストッパーの下端を引き、ストッパーの上端が前方へ回動した状態となり、ストッパーのＬ字状のＬ字の内角が、回転してきた凸部の先端に接する。
【００１４】
（１）このように、引き金とストッパーとは一体ではなく、リンク部材を介して連結されているので、引き金の回動半径や回動軸の位置に関係なく、ストッパーは最適な回動半径や回動軸の位置を有することができる。すなわち、引き金の回動半径は、人の指の動きに対して最適なものに設定でき、ストッパーの回動半径は、回転部の回転半径や凸部の長さに対して最適なものに、別々に設定できる。また、引き金の回動軸の位置は、握部の大きさや位置に対して最適な位置に設定でき、ストッパーの回動軸の位置は、回転部の回転軸の位置、回転半径、凸部の長さに対して最適な位置に、別々に設定できる。
【００１５】
（２）さらに、引き金とストッパーとは、リンク部材を介して連結されているので、回動軸は、引き金の回動軸、ストッパーの回動軸、リンク部材の両端の回動軸、を合わせ４カ所となる。これに対して、背景技術のように引き金とストッパーが一体の場合には、回動軸は、引き金の回動軸カ所になる。よって、この発明では、機構に遊びが多く、ストッパーが、回転部の凸部の動きに対して、独自に柔軟に追従しやすい。
【００１６】
これら（１）（２）ため、引き金が引かれる前と引かれた際に、ストッパーを回転部の凸部に深く接することができ、輪ゴムの連続発射や単発、すなわち一発一発発射する操作が、容易になる。
【図面の簡単な説明】
【００１７】
【図１】この考案の一実施形態を示す全体図である。
【図２】図１の要部を示す連続図であり、（Ａ）は引き金を引く前の図、（Ｂ）は引き金を引きはじめた時の図、（Ｃ）は引き金をさらに引いた時の図、（Ｃ）は引き金を緩めた時の図である。
【図３】この考案の他の実施形態を示す全体図である。
【図４】図３の要部を示す連続図であり、（Ａ）は引き金を引く前の図、（Ｂ）は引き金を引きはじめた時の図、（Ｃ）は引き金をさらに引いた時の図、（Ｃ）は引き金を緩めた時の図である。
【考案を実施するための形態】
【００１８】
この考案の一実施形態を、図１乃至図２に示す。
［全体概略］
図１に示すように、この回転式連発輪ゴム銃１は、輪ゴム３の一端を係止する係止部５を有する銃身部７の最後方に、握部９が一体的に設けられる。銃身部７の後方には、回転部１１が設けられる。この回転部１１には、６個の凸部１３が螺旋状に外側に向かって設けられ、輪ゴム３の後端を係止する。輪ゴム３に引っ張られて生じる回転部１１の回転は、凸部１３に接するストッパー１５によって制御される。ストッパー１５は引き金１９によって作動する。ストッパー１５はリンク部材１７を介して引き金１９に連結される。
【００１９】
回転部１１などからなる機構２１を構成する各部の位置関係は、回転部１１の後方にストッパー１５が回動可能に設けられ、ストッパー１５の後方に引き金１９が回動可能に設けられる関係となる。
【００２０】
［銃身部７や握部９など］
銃身部７や握部９などは、銃の本体を構成する。
銃身部７は細長い木製の部材で、先端には、輪ゴム３の一端を係止する係止部５としての突起が左右に設けられる。銃身部７の後方には、銃身部７と一体的に握部９が設けられる。握部９の上部には、引き金１９を付勢する弾性体２３であるゴムの一端を係止する係止突起２５が、設けられる。
【００２１】
［回転部１１］
回転部１１は、銃身部７に対して回転軸２７を有する。回転部１１は、凸部１３が周方向に等間隔に６個、外側に向かって一体的に設けられる。これらの凸部１３が、輪ゴム３の後端を係止する。凸部１３の方向は、回転部１１の回転軸２７から、前進回転（図中左回転）側へ所定距離ずれることで、６個の凸部１３はやや螺旋状に設けられる。螺旋状に設けられることで、輪ゴム３をかけやすい。
【００２２】
回転部１１の前方で銃身部７の上部には、回転部１１から発射された輪ゴム３が銃身部７に接触しないようにするための輪ゴムよけバー２９が、銃身から左右に突設されている。
【００２３】
［ストッパー１５］
ストッパー１５は、回転部１１の後方で、引き金１９の前方に、銃身７上の回動軸３１Ａによって回動可能に設けられる。ストッパー１５は、全体がやや細長い。そして、下端の回転部１１側に、回転部１１の凸部１３に係止するＬ字状の切欠３３を有する。この切欠３３は、ストッパー１５の下端の前方に、すなわち回転部１１側に、逆Ｌ字状に形成されることで、ストッパー１５の下端が前方へ回動した状態では、Ｌ字状の先端が凸部１３の回転方向側側面３５に接する。また、ストッパー１５の下端が後方へ回動した状態で、Ｌ字状のＬ字の内角３７が、回転してきた前記凸部１３の先端に接する。ストッパー１５は、このような接し方ができる位置に設けられる。
【００２４】
ストッパー１５の上端には、針金からなるリンク部材１７の一端が回動可能に連結する。このリンク部材１７の他端が、引き金１９の上端に回動可能に連結する。
【００２５】
［引き金１９］
引き金１９は、ストッパー１５の後方で、回動可能に設けられる。ストッパー１５の上端に設けられたリンク部材１７の他端が、引き金１９の上端に回動可能に連結する。引き金１９は、輪ゴムなどによる弾性体２３によって下端が前方へ付勢される。すなわち、弾性体２３の前端は、引き金１９に対し、リンク部材１７と回動軸３１Ｂとの間に、係止される。弾性体２３の後ろ端は、握部９の上の係止突起２５に係止される。
【００２６】
「実施形態の操作手順」
図１、図２（Ａ）〜（Ｄ）に示すように、この実施形態の回転式連発輪ゴム銃１は、輪ゴム３の充填と発射の操作がなされる。
【００２７】
（充填）
すなわち、図１に示すように、銃身７の先端の係止部５に、輪ゴム３の一端を係止し、輪ゴム３を後方へ引き伸ばし、回転部１１の各凸部１３に、輪ゴム３の後端を係止する。例えば合計６本が係止される。この係止は、上端の凸部１３ａと、その後方の凸部１３ｂ以外の凸部１３では、係止された輪ゴム３は、回転部１１の回転軸２７に左巻に巻廻されてから、銃身の先端の係止部５に係止される。
【００２８】
図２（Ａ）〜（Ｄ）に発射の操作を示す。わかりやすいように、２本の輪ゴム３のみを示す。すなわち回転部１１の上端の凸部１３ａと、その後方の凸部１３ｂにのみ輪ゴム３を係止する。
引き金１９を引かない状態では同図（Ａ）に示すように、回転部１１は、これら輪ゴム３に引っ張られて、図中の左回転すなわち前進回転を生じようとするが、さらに後方の３番目の凸部１３ｃにストッパー１５が接して、回転が止められる。すなわち、引き金１９は弾性体２３によって図中の右回動すなわち後退回動し下端が前方へ回動した状態にあり、引き金１９にリンク部材１７を介してリンクされているストッパー１５も、その下端が前方へ回動した状態で、ストッパー１５のＬ字状の先端が、凸部１３ｃの回転方向側側面３５に接している。
【００２９】
そして同図（Ｂ）に示すように、引き金１９を引きはじめると、引き金１９は弾性体２３の付勢力に抗して、図中の左回動すなわち前進回動をはじめ、下端が後方へ回動しはじめ、引き金１９にリンク部材１７を介してリンクされているストッパー１５も、その下端が後方へ回動しはじめる。このとき、ストッパー１５のＬ字状の先端が、凸部１３ｃの回転方向側側面３５で、接した状態を維持しつつ、下方へ移動する。
【００３０】
同図（Ｃ）に示すように、さらに引き金１９を引くと、ストッパー１５のＬ字状の先端が、凸部１３ｃの回転方向側側面３５の下端を越え、ストッパー１５が外れて、回転部１１が凸部一つ分前進回転し、この回転の最中に凸部１３ａから輪ゴム３が外れ、輪ゴム３が発射される。回転部１１の凸部一つ分の前進回転が終わると、ストッパー１５のＬ字状のＬ字の内角３７が、前進回転してきた凸部１３ｃの先端に接する。
【００３１】
そして、同図（Ｄ）に示すように、引き金１９を緩めると、引き金１９は弾性体２３によって後退回動し、引き金１９にリンクされているストッパー１５も後退回動し、その下端が前方へ回動する。このとき、ストッパー１５のＬ字状の内角３７が、凸部１３ｃをすくい上げるようにして、凸部１３ｃ一つ分だけ回転部前進回転方向へ送り出す。そして、送り出した凸部１３ｃの次の凸部１３ｄに、ストッパー１５のＬ字状の先端が、回転方向側側面３５に接する。このようにして、凸部一つ分だけ前進回転方向へ送り出した後に、はじめの状態（同図（Ａ））に戻る。
【００３２】
以上のように、これらの一連の動作により、単発の操作が容易に行える。
また、以上の引き金１９を引いたり緩めたりする速さを、速く繰り返して操作すれば、これらの一連の動作が繰り返して生じ、連発の操作が容易に行える。よって、たとえば６個の輪ゴム３を、連発、または単発できる。
【００３３】
「実施形態の作用効果」
このように、この実施形態の回転式連発輪ゴム銃１は、引き金１９とストッパー１５とは一体ではなく、リンク部材１７を介して連結されている。
（１）このため、引き金１９の回動半径や回動軸３１の位置に関係なく、ストッパー１５は最適な回動半径や回動軸３１Ａの位置を有することができる。
一般に、引き金１９の回動半径は、人の指の動きに対して最適なものに設定すべきであり、ストッパー１５の回動半径は、回転部１１の回転半径や凸部１３の長さに対して最適なものに、別々に設定すべきである。また、引き金１９の回動軸３１の位置は、握部９の大きさや位置に対して最適な位置に設定すべきであり、ストッパー１５の回動軸３１の位置は、回転部１１の回転軸２７の位置、回転半径、凸部１３の長さに対して最適な位置に、別々に設定すべきである。両者の技術的な要請は、別個独立にある。
【００３４】
しかし、背景技術のように、引き金１９とストッパー１５とが一体の場合には、両要請は同時に満たされないことがあり、ひいては、暴発の原因にもなる。
そして、この実施形態ではリンク部材１７を用いるので、両要請は各々満たされる。よって、ストッパー１５は最適な回動半径や回動軸３１の位置を得られることから、ストッパー１５を回転部１１の凸部１３に深く接することができ、暴発を防止できる。
（２）さらに、機構２１の回動軸は、引き金１９の回動軸３１Ｂ、ストッパー１５の回動軸３１Ａ、リンク部材１７の両端の回動軸、を合わせ４カ所となる。これに対して、背景技術のように引き金とストッパーが一体の場合には、回動軸は、引き金の回動軸１カ所になる。よって、この実施形態では、機構２１に遊びが多く、ストッパー１５が、回転部１１の凸部１３の動きに対して、独自に柔軟に追従しやすい。よって、ストッパー１５を回転部１１の凸部１３に、柔軟に深く接することができ、暴発を防止できる。
【００３５】
これら（１）（２）ため、引き金１９が引かれる前と引かれた際に、ストッパー１５が回転部１１の凸部１３に深く接することができ、輪ゴム３の連続発射や単発、すなわち一発一発発射する操作が、容易になる。
【００３６】
「他の実施形態」
以上の実施形態では、機構２１を構成する各部の位置関係は、回転部１１の後方にストッパー１５が回動可能に設けられ、ストッパー１５の後方に引き金１９が回動可能に設けられるものであったが、他の実施形態では、図３、図４に示す他の実施形態のように、回転部１１の前方にストッパー１５が回動可能に設けられるものであっても良い。
【００３７】
なお、図３は図１に対応し、図４の各図は図２の各図に対応する。同様の機能を有する部分には、同じ符号を付す。
すなわち、回転部１１の前方にストッパー１５が回動可能に設けられる。回転部１１の後方に引き金１９が回動可能に設けられる。ストッパー１５は、上端に凸部１３に係止するＬ字状の切欠３３を有し、下端にリンク部材１７の一端が回動可能に連結し、このリンク部材１７の他端が前記引き金１９の下端に回動可能に連結する。
【００３８】
Ｌ字状の切欠３３は、ストッパー１５の上端の後方に形成される。そして、ストッパー１５の上端が後方へ回動した状態で、Ｌ字状の先端が凸部１３の回転方向側側面３５に接し、ストッパー１５の上端が前方へ回動した状態で、Ｌ字状のＬ字の内角３７が、回転してきた前記凸部１３の先端に接する位置に設けられる。
【００３９】
そして図４（Ａ）に示すように、弾性体２３の付勢力に抗して引き金１９が引かれる前には、ストッパー１５の上端が後方へ回動した状態で、ストッパー１５のＬ字状の先端が凸部１３の回転方向側側面３５に接している。図４（Ｂ）（Ｃ）に示すように、引き金１９が引かれた際には、引き金１９の下端が後方へ回動し、リンク部材１７を介してストッパー１５の下端を引き、ストッパー１５の上端が前方へ回動した状態となり、ストッパー１５のＬ字状のＬ字の内角３７が、回転してきた凸部１３の先端に接する。
このようにしても、同様の技術的な効果を有することができる。
【００４０】
以上の実施形態では、弾性体２３は引き金１９を付勢するものであったが、他の実施形態では、図３に示すように、ストッパー１５を直接に付勢するものでも良い。この図３の弾性体２３は、ストッパーの下端を前方へ引っ張って付勢する。この場合にも、引き金はリンク部材を介してストッパーと連動して同様の動きをする。
【００４１】
以上の実施形態では、回転部１１の凸部１３の数は６つであったが、他の実施形態では、５つ以下あるいは７つ以上であっても良い。
【符号の説明】
【００４２】
１…回転式連発輪ゴム銃、３…輪ゴム、５…係止部、７…銃身部、９…握部、１１…回転部、１３…凸部、１５…ストッパー、１７…リンク部材、１９…引き金、２１…機構、２３…弾性体、２５…係止突起、２７…回転軸、２９…輪ゴムよけバー、３１…回動軸、３３…切欠、３５…回転方向側側面、３７…内角。
【図１】
0003157069.tif 000003
【図２】
0003157069.tif 000004
【図３】
0003157069.tif 000005
【図４】
0003157069.tif 000006